(57)【要約】      （修正有）【課題】沈降設置時には水の流入を許容すると共に設置後の水の流通は阻止し、中空構成部材内部の腐食を抑制することのできる水中構造物における注水排気弁部材を提供する。【解決手段】注水排気キャップ１０は、本体部１１の基端に大径のフランジ１２を備えると共に先端に装着係合部１３を備え、内部には先端が前板部１５で閉塞された流路１４とする。装着係止部１３は、本体部１１との境界の段差部分が係止部１６となっており、また、径方向のスリット１７がによって分割された部位が径方向外側に弾性変形可能な弁体１８となっている。注水排気キャップ１０は、中空構成部材２１の側壁の開口部に外側から押し込まれて装着され、中空構成部材２１を沈降させる際には外部から作用する水圧によって弁体１８が径方向外側に変形してスリット１７が広がって水の流入を許容すると共に、中空構成部材２１内部の空気をスリット１７を介して排出する。【選択図】図１
2005054515.tif 000002
【特許請求の範囲】
【請求項１】
水中構造物を構成する中空構成部材の側壁に形成された開口部に嵌合装着されるものであって、
前記開口部への装着手段と、内外の圧力が均衡状態では閉止すると共に外部側からの水圧によって弾性変形して水が流入可能に開口する弁体と、空気の排出を許容する排気開口部と、を備えて構成されていることを特徴とする水中構造物における注水排気弁部材。
【請求項２】
上記装着手段は、上記開口部に挿通可能な本体部の端部に形成された大径のフランジ部と、前記本体部に突設された弾性変形可能な係止部と、から成り、前記側壁を前記フランジと係止部の間に位置させて上記開口部に装着されるように構成されていることを特徴とする請求項１に記載の水中構造物における注水排気弁部材。
【請求項３】
上記係止部側の先端は閉塞されると共に、少なくとも前記係止部より先端側が弾性素材によって形成されており、当該先端部が径方向のスリットによって周方向に複数に分割されて、上記弁体として構成されていることを特徴とする請求項２に記載の水中構造物における注水排気弁部材。
【請求項４】
上記スリットは所定幅を有し、該スリットが上記排気開口部として機能するよう構成されていることを特徴とする請求項３に記載の水中構造物における注水排気弁部材。
【発明の詳細な説明】
【技術分野】
【０００１】
本発明は、鋼管等の中空構成部材によって構築された人工漁礁等の水中構造物において、沈降時には中空構成部材内への水の流入を許容すると共に設置後は水の流通を許容しない水中構造物における注水排気弁部材に関する。
【背景技術】
【０００２】
近年、沿岸域における水産動植物の増養殖に適した沿岸漁場造成のために、人工魚礁の設置が推進されている。
【０００３】
こういった人工漁礁のように水中に設置される水中構造物として、特許文献１に開示のごとく、鋼材によって構築するものも提案されている。
【特許文献１】特開２００２−５８３８４号公報
【発明の開示】
【発明が解決しようとする課題】
【０００４】
ところで、上記のごとき人工漁礁のような水中構造物を鋼管等の中空構成部材を組み合わせて構築した場合、中空構成部材内に空気が充満したままだとその浮力によって沈降や安定設置ができない。このため、中空構成部材の端部を敢えて開放させたりその各所に穴を穿設し、沈降設置時にはこれらの開口部を介して水の流入と空気抜きを可能とするように構成する必要があった。
【０００５】
しかしながら、特に海中に設置される水中構造物では、設置後に開口部を介して海水の内外の流通が可能なことから内面が際限なく腐食され、その結果、耐用期間が極めて短くなってしまうという問題がある。
【０００６】
そのため、予め内面側にも外面側と同様に腐食代を考慮して設計したり、設置後にダイバーが潜水して開口部をひとつひとつ塞ぐといった作業を行って対応することが考えられるが、腐食代を考慮すると重量増加とコスト増大を招き、ダイバーによる開口部の閉塞は手間が掛かり特に深海では非常に困難なものである。
【０００７】
本発明は、上記問題に鑑みてなされたものであって、沈降設置時には水の流入を許容すると共に設置後の水の流通は阻止し、中空構成部材内部の腐食を抑制することのできる水中構造物における注水排気弁部材を提供することを目的とする。
【課題を解決するための手段】
【０００８】
上記目的を達成する本発明の水中構造物における注水排気弁部材は、水中構造物を構成する中空構成部材の側壁に形成された開口部に嵌合装着されるものであって、前記開口部への装着手段と、内外の圧力が均衡状態では閉止すると共に外部側からの水圧によって弾性変形して水が流入可能に開口する弁体と、空気の排出を許容する排気開口部と、を備えて構成されていることを特徴とする。
【０００９】
このような構成により、注水排気弁部材は、排気開口部から中空構成部材内部の空気を排出させると共に弁体が弾性変形して中空構成部材内への水の流入を許容し、中空構成部材内に水が充満した後は内外の圧力の均衡によって弁体が閉止して水の流通を阻止する。
【００１０】
また、上記装着手段は、上記開口部に挿通可能な本体部の端部に形成された大径のフランジ部と、前記本体部に突設された弾性変形可能な係止部と、から成り、前記側壁を前記フランジと係止部の間に位置させて上記開口部に装着されるように構成されていることを特徴とする。
【００１１】
この構成により、係止部を弾性変形させて開口部に押し込むことで、側壁をフランジと係止部の間に位置させ、係止部が脱落を防いで中空構成部材の開口部に装着できる。
【００１２】
更に、上記係止部側の先端は閉塞されると共に、少なくとも前記係止部より先端側が弾性素材によって形成されており、当該先端部が径方向のスリットによって周方向に複数に分割されて、上記弁体として構成されていることを特徴とする。
【００１３】
この構成では、先端部をスリットで分割して構成された弁体が、外部の水圧で径方向外側に開いて水の流入を許容し、内外の圧力が拮抗すると自由状態に復帰して水の流通を防ぐ。
【００１４】
また、上記スリットは所定幅を有し、該スリットが上記排気開口部として機能するよう構成されていることを特徴とする。  
この構成では、弁体を形成するスリットが排気開口部を兼ね、空気の排出を行う。
【発明の効果】
【００１５】
請求項１に係る水中構造物における注水排気弁部材によれば、水中構造物の沈降設置時には、排気開口部から中空構成部材内部の空気を排出させると共に弁体が弾性変形して中空構成部材内への水の流入を許容し、中空構成部材内に水が充満した後は内外の圧力の均衡によって弁体が閉止して水の流通を阻止するため、沈降設置を迅速に行うことができると共に安定した設置が可能となり、設置後には中空構成部材内外の水の流通を防ぐ。このため、中空構成部材内部への溶融酸素の供給が遮断され、中空構成部材の内面の腐食を抑制することができる。
【００１６】
また、請求項２に係る発明によれば、係止部を弾性変形させて開口部に押し込むことで、中空構成部材の開口部にその側壁をフランジと係止部の間に位置させて、容易に脱落不能に装着できる。
【００１７】
更に、請求項３に係る発明によれば、先端部をスリットで分割することで、外部の水圧で径方向外側に開いて水の流入を許容すると共に内外の圧力が拮抗すると自由状態に復帰して水の流通を防ぐ弁体を、極めて簡単に構成することができる。
【００１８】
また、請求項４に係る発明によれば、弁体を形成するスリットが排気開口部を兼ね、空気の排出を行うことができるため、より簡単な構成と成し得るものである。
【発明を実施するための最良の形態】
【００１９】
以下、添付図面を参照して本発明を実施するための最良の形態について説明する。  
図１は本発明に係る注水排気弁部材の一構成例である注水排気キャップを示し、（Ａ）は斜視図，（Ｂ）は（Ａ）のＢ−Ｂ断面図，（Ｃ）は（Ａ）のＣ−Ｃ断面図，（Ｄ）は海洋構造物の中空構成部材への装着状態を示す図である。
【００２０】
図示注水排気キャップ１０は、所定硬度のゴム等の弾性素材によって、本体部１１の基端に大径のフランジ１２を備えると共に先端に装着係合部１３を備えて形成されている。内部は中空とされ、ここが流路１４となっている。
【００２１】
本体部１１は、装着対象である水中構造物の中空構成体２１（鋼管等）の側壁の開口部２２に嵌合可能な径に設定され、その長さは開口部２２の厚さと対応している。
【００２２】
装着係止部１３は、先細りのテーパー状で、先端は装着対象の開口部２２より小径で前板部１５によって閉塞されており、本体部１１との境界部は本体部１１より所定量大径とされてこの本体部１１との段差部分が係止部１６となっている。
【００２３】
また、装着係止部１３には、所定幅のスリット１７が直径方向に入れられて軸方向に所定の長さで延設されており、このスリット１７によって二分割された部位は、それぞれ径方向外側に弾性変形可能な弁体１８となっている。
【００２４】
上記のごとく構成された注水排気キャップ１０は、図１（Ｄ）に示すように、水中構造物の中空構成部材２１の側壁に形成された開口部２２に外側から押し込まれ、係止部１６の弾性変形によって本体部１１が開口部２２の板縁に嵌り、容易には脱落しないように装着される。
【００２５】
そして、水中構造物の沈降設置時においては、下記のごとく作用して中空構成部材２１内への注水と中空構成部材２１からの排気を行い、設置後には中空構成部材２１内外の水の流通は阻止する。
【００２６】
即ち、図２（Ａ）に一例を示すように、注水排気キャップ１０が上下に配設された中空構成部材２１を沈降させる場合、図２（Ａ）中Ｘで示す水没した注水排気キャップ１０は、図２（Ｂ）に示すように外部から作用する水圧によって、弁体１８が径方向外側に変形してスリット１７が広がり、そこから水の流入を許容する。
【００２７】
一方、図２（Ａ）中Ｙで示す上部の注水排気キャップ１０は、中空構成部材２１内部の空気をスリット１７を介して排出する。更に、中空構成部材２１内部への水の流入によって高まった空気圧が内側から外側に向かって作用すると、図２（Ｃ）に示すように弁体１８が押し潰されるように変形してスリット１７が広がって空気の排出を促進させる。
【００２８】
中空構成部材２１の内部に水が充満して内外の水圧が等しくなると、弁体１８は自由状態に弾性復帰し、これによって水の流通が不能となる。
【００２９】
つまり、上記構成例の注水排気キャップ１０は、装着係止部１３がスリット１７で分割されて形成された弁体１８が、外部からの水圧で広がって注水を可能とすると共に、弁体１８を形成するスリット１７が排気開口部を兼ねて空気を排出させ、中空構成部材２１の内外の水圧が均衡すると弁体１８が自由状態に戻って水の流通を不能とする（スリット１７の隙間を介した水の流通は生じても極めて微量）ものである。
【００３０】
これにより、中空構成部材２１の内外の水の流通が行われなくなるため、中空構成部材２１の内部への溶存酸素の供給がなくなり、また海水中では塩化物イオンの供給がなくなり、これによって中空構成部材２１の内面の腐食を抑制することができる。その結果、水中構造物の耐久性を向上させることができる。
【００３１】
尚、本願発明は上記構成例に限らず適宜変更可能なものであり、例えば、スリット１７によって形成される弁体１８の数は三枚以上としても良いものである。
【００３２】
図３及び図４は本発明の他の構成例を示す。図中上記構成例と同機能の部位には同符号を付してある。
【００３３】
図３（Ａ）に側面図，（Ｂ）に正面図を示す注水排気キャップ１０′は、スリット１７′の幅を最小限とすると共に、先端の前板部１５に排気開口部としての通気口１９を開口形成したものである。
【００３４】
また、図４（Ａ）に側面図，（Ｂ）に正面図を示す注水排気キャップ１０″は、装着係止部１３の先端を輪切りにする方向にスリット１７″を形成し、前板部１５が軸方向に弾性変形して流路１４を開閉する弁体１８′として構成したものである。この弁体１８′は別部材を装着して構成しても良い。尚、図３及び図４に示す構成例において通気口１９の位置は、前板部１５に限らず係止部１６の近傍に設けても良いものである。
【図面の簡単な説明】
【００３５】
【図１】本発明に係る注水排気弁部材の一構成例である注水排気キャップを示し、（Ａ）は斜視図，（Ｂ）は（Ａ）のＢ−Ｂ断面図，（Ｃ）は（Ａ）のＣ−Ｃ断面図，（Ｄ）は海洋構造物の中空構成部材への装着状態を示す図である。
【図２】（Ａ）は注水排気キャップが上下に配設された中空構成部材の概念図，（Ｂ）は注水状態を示す説明図，（Ｃ）は排気状態を示す説明図である。
【図３】他の構成例の注水排気キャップを示し、（Ａ）は側面図，（Ｂ）は正面図である。
【図４】異なる構成例の注水排気キャップを示し、（Ａ）は側面図，（Ｂ）は正面図である。
【符号の説明】
【００３６】
１０、１０′、１０″  注水排気キャップ
１１  本体部
１２  フランジ
１３  装着係合部
１６  係止部
１７  スリット（排気開口部）
１８、１８′弁体
１９  通気口（排気開口部）
２１  中空構成部材
２２  開口部
【図１】
2005054515.tif 000003
【図２】
2005054515.tif 000004
【図３】
2005054515.tif 000005
【図４】
2005054515.tif 000006